(57)【要約】      （修正有）【課題】めっきを析出させる治具を用いずに、被表面処理物に対してめっき処理工程において搬送及びめっき処理が可能であり、かつ、被表面処理物全体のめっき厚を均一にすることができるめっき処理物保持具を提供する。【解決手段】陰極バーに沿って移動自在に吊下げ支持されるハンガー部２と、ハンガー部２の下方に設けられ、めっき処理される薄板状の被表面処理物Ｗを着脱自在に保持する支持部３と、を備える。支持部３は、被表面処理物Ｗの左右端縁に沿って表裏両側に延びて記被表面処理物Ｗを垂直姿勢に支持するとともに絶縁体からなる複数の挟持用突起４を有する。挟持用突起４は、被表面処理物Ｗの左右端から３０ｍｍ以内の位置で被表面処理物Ｗの表裏両面に接触し、被表面処理物Ｗを垂直状態に挟持する。【選択図】図１
0003154267.tif 000002
【実用新案登録請求の範囲】
【請求項１】
陰極バーに沿って移動自在に吊下げ支持されるハンガー部と、このハンガー部の下方に設けられ、めっき処理される薄板状の被表面処理物を着脱自在に保持する支持部と、を備え、前記支持部は、前記被表面処理物の左右端縁に沿って表裏両側に延びて前記被表面処理物を垂直姿勢に支持するとともに絶縁体からなる複数の挟持用突起を有し、これらの挟持用突起は、被表面処理物の左右端から３０ｍｍ以内の位置で被表面処理物の表裏両面に接触し、被表面処理物を挟持することを特徴とするめっき処理物保持具。
【請求項２】
前記支持部は全体が枠状であって前記ハンガー部に保持された吊板を有し、この吊板には被表面処理物をその表裏両側からそれぞれ挟持する第１側板及び第２側板が接続され、これらの第１側板及び第２側板の間に被表面処理物を着脱自在に保持することを特徴とする請求項１に記載のめっき処理物保持具。
【請求項３】
前記支持部は、絶縁体からなる前記挟持用突起を介して、前記前記被表面処理物から少なくとも１０ｍｍ以上離れていることを特徴とする請求項１又は２に記載のめっき処理物保持具。
【請求項４】
前記被表面処理物の下端に近接する前記支持部の下方に、被表面処理物への電気の流れを抑制する遮蔽部を設けたことを特徴とする請求項１から３のいずれかに記載のめっき処理物保持具。
【請求項５】
前記挟持用突起は、薄板状の前記被表面処理物に対して狭い範囲で接触し、前記支持体と前記被表面処理物との間の所定距離を維持することを特徴とする請求項１から４のいずれかに記載のめっき処理物保持具。
【請求項６】
前記支持部は、前記被表面処理物に直交する方向に沿って厚みがある板状物であり、かつ、被表面処理物に沿った方向の厚みが薄く形成され、被表面処理物に向けて流れる電流を遮断しないようにしたことを特徴とする請求項１から５のいずれかに記載のめっき処理物保持具。
【請求項７】
前記挟持用突起は、前記支持部から前記被表面処理物に向かって断面積が次第に小さくなるように延出し、その先端が前記被表面処理物と接していることを特徴とする請求項６に記載のめっき処理物保持具。
【考案の詳細な説明】
【技術分野】
【０００１】
本考案は、例えば、電子機器におけるプリント基板のような薄板状の被表面処理物に対して銅めっき等のめっき処理を行う際に、この被表面処理物を、めっき処理液を満たしためっき槽内で保持するためのめっき処理物保持具に関する。
【背景技術】
【０００２】
例えば、プリント基板等を製造する際には、プリント基板をエッチングした後にプレスで孔抜きを行い、これを銅めっき等のめっき処理を行い配線して製造する。このめっき処理では、めっき液が循環回流するめっき処理液の浴槽内に、プリント基板等をめっき用治具で吊り下げ、所定時間めっき処理液中に浸漬している。このプリント基板を吊り下げるめっき用治具としては、従来から各種のものが提案されている。
【０００３】
このような治具は、例えば、めっき槽の上側に配置される搬送用陰極バーに吊り下げる係止部を上端に固定した左右の縦棒に、互いに対向する面に嵌合溝を形成し、係止部材を連結する上側横棒と、縦棒の下部を連結する下側横棒とにより枠体を構成するものである。そして、嵌合溝内において、所定形状に切断したプリント基板を互いに導電性ブラケット等で連結して嵌合し、係止部材の中間に導電性接続具を配置し、導電性接続具の上端部を搬送用陰極バーに接触させ、下端部を導電性挟持具によってプリント基板を挟持したものである。このような治具は金属製であり、前記搬送用陰極バーから前記治具を介して被表面処理物へ通電される。
【０００４】
上記のようなめっき処理においては、搬送方向において被表面処理物どうしの間隔を空けてめっき処理液中を連続的に搬送しないと、被表面処理物の横幅方向の端部に電流が集中して当該部分のめっき厚が厚くなり、めっき不良となる問題がある。しかし、かかる現象は、上記のようなめっきが析出する金属製の治具を用いることで回避され、被表面処理物全体のめっき厚を均一にすることができる。すなわち、めっきを治具部分に多く析出させることで、被表面処理物の端部へのめっき集中が防止される。
【０００５】
【特許文献１】特開２０００−３５５７９７号公報
【考案の開示】
【考案が解決しようとする課題】
【０００６】
しかし、めっき処理工程で被表面処理物を保持する上記の治具を用いる場合は、この枠状の治具に多数の薄板状製品等である被表面処理物の取付け、取外しの作業に多くの人手を要し、手間がかかる問題があった。
また、めっきは、通電性の良い治具部分に多く析出しこれに付着するので、使用を重ねると治具の厚みが増大していく。このような治具のめっき太りによって、益々、本来めっきを施したい被表面処理物にめっきが付着しにくくなる。さらに、治具が存在する分、銅めっきであれば銅を多く消費するようになる。このような事態を回避するため、高価な治具を頻繁に交換する必要があった。
【０００７】
本考案は、上記事情に鑑みて考案されたものであって、その解決しようとする課題は、めっきを析出させる治具を用いずに、被表面処理物に対してめっき処理工程における搬送及びめっき処理が可能であり、かつ、被表面処理物全体のめっき厚を均一にすることができるめっき処理物保持具を提供することにある。
【課題を解決するための手段】
【０００８】
本考案は、上記の課題を達成するために次のような構成とした。すなわち、本考案のめっき処理物保持具は、陰極バーに沿って移動自在に吊下げ支持されるハンガー部と、このハンガー部の下方に設けられ、めっき処理される薄板状の被表面処理物を着脱自在に保持する支持部と、を備え、前記支持部は、前記被表面処理物の左右端縁に沿って表裏両側に延びて記被表面処理物を垂直姿勢に支持するとともに絶縁体からなる複数の挟持用突起を有し、これらの挟持用突起は、被表面処理物の左右端から３０ｍｍ以内の位置で被表面処理物の表裏両面に接触し、被表面処理物を挟持するものである。
【０００９】
前記支持部は全体が枠状であって前記ハンガー部に保持された吊板を有し、この吊板には被表面処理物をその表裏両側からそれぞれ挟持する第１側板及び第２側板が接続され、これらの第１側板及び第２側板の間に被表面処理物を着脱自在に保持する構成とすることができる。
前記支持部は、絶縁体からなる前記挟持用突起を介して、前記前記被表面処理物から少なくとも１０ｍｍ以上離れていることが好ましい。このような構成とすることで、支持部に流れる電流が、被表面処理物へのめっきに影響を与えることを抑制できる。
前記挟持用突起は絶縁体であるので、被表面処理物の左右端には適度な電流が流れて、当該部分にめっきが析出する。これに伴って、被表面処理物の左右端以外の部分に均一かつ適当な厚みのめっき皮膜が形成される。前記支持部は、例えば銅などの導体からなるが、前記挟持用突起は、例えば、ＰＰ（ポリプロピレン）、ＰＶＣ（塩化ビニル）又はＰＥ（ポリエチレン）等の汎用合成樹脂により形成可能である。
【００１０】
前記被表面処理物の下端に近接する前記支持部の下方に、被表面処理物への電気の流れの一部を遮る遮蔽部を設けることが好ましい。このような遮蔽部によって、被表面処理物下端に形成されるめっき皮膜の厚みを調整する。電流は、被表面処理物の下端から前記陰極バーに向かって流れるので、被表面処理物の下端に形成されるめっき皮膜は、他部分に比べ厚くなる傾向になる。したがって、この現象を回避するために被表面処理物の下端に近接する遮蔽部を設け、被表面処理物下端からの給電をコントロールする。この遮蔽部は、被表面処理物の下端から所定距離をおいて設けられ、通常、板状に形成されるがその形状は特に限定されない。
【００１１】
前記挟持用突起は、薄板状の前記被表面処理物に対して狭い範囲で接触することが好適であり、これは前記支持体と前記被表面処理物との間の所定距離を保持する。また、絶縁体からなる挟持用突起によって被表面処理物が支持されるので、挟持用突起やその周辺にめっきが析出することはない。すなわち、前記被表面処理物の端縁部には、通常、比較的多くめっきが析出するが、挟持用突起の接触部分とその周囲にはめっきがほとんど付着しなくなる。一方、これらに比較して、薄板状の被表面処理物の端縁部を除いた部分には均一なめっき皮膜が形成されることになる。上記のように、導体からなり、被表面処理物の外縁に接する治具が存在しないので、治具によるめっきへの影響がなくなり、安定しためっき処理が可能となる。
【００１２】
上述したように、本考案によれば、きわめて薄い被表面処理物の搬送が容易であり、被表面処理物の端部へのめっき集中が回避できる等の治具使用の利点と、治具へめっき析出がなくめっき品質が安定、めっき材料の消費抑制の治具不使用の利点とを併せ持つめっき処理物保持具を提供することが可能である。すなわち、従来の治具を使用する場合のように被表面処理物を確実に固定しつつ治具不使用の環境でめっき処理を実現できるので、非常に薄いプリント基板等の被表面処理物に対しても安定しためっき処理が可能となる。
【００１３】
前記支持部は、前記被表面処理物に直交する方向に沿って厚みがある板状物であり、かつ、被表面処理物に沿った方向の厚みが薄く形成され、被表面処理物に向けて流れる電流を遮断しない形状とするのが好ましい。すなわち、被表面処理物の表面にめっきが付着することを妨げないように、前記表面に沿った方向に厚みがある形状ではない一方、前記表面に直交する方向には厚みがあり、支持部が被表面処理物から一定距離以上、離れるような構造とすることが好適である。前記支持部と被表面処理物との間には挟持用突起が介在し、この挟持用突起は、前記支持部から前記被表面処理物に向けて径小になるように形成することができ、被表面処理物との接触面積をできるだけ小さくすることが望ましい。
【００１４】
被表面処理部の表面への電気の流れを遮断しないためには、できる限り被表面処理物と挟持用突起との接触面積を小さくし、被表面処理物にめっきが付着しにくくなる部分が広範囲にならないようにする。
上記のように挟持用突起が、支持部と被表面処理物との間に介在することで、支持部と被表面処理物が離れるので、支持部に流れる電流がめっきに影響を与えることが抑制され、被表面処理物の左右端に適度な電流が流れ、当該部分にめっきが析出する。したがって、被表面処理物の左右端以外の部分に均一かつ適当な厚みのめっき皮膜が形成される。逆に左右端にめっきを積極的に析出させないと、左右端以外の部位においてめっき皮膜が厚くなる部分が形成され、均一な厚みのめっきを施すことができなくなる。
【００１５】
前記挟持用突起は、前記支持部から前記被表面処理物に向かって断面積が次第に小さくなるように延出し、その先端が前記被表面処理物と接して、前記支持体と前記被表面処理物との間の適切な距離を維持する。
なお、挟持用突起を設ける位置、及び／または、挟持用突起の長さ、を変化させて支持部と被表面処理物との距離を調整することで、被表面処理物のめっき皮膜の厚みをコントロールすることが可能である。前記距離は、通常、１０−３０ｍｍ程度の範囲で調整するのが適切である。
【００１６】
前記めっき処理システムは、金属陽イオンを含む溶液中に、陰極となる被表面処理物を漬浸させ、金属を電気的に陰極表面に析出させる電気めっきシステムとすることが可能である。このようなめっき処理システムは、電気化学的酸化還元反応により金属を還元析出させる無電解めっきシステムに適用できる。また、金属陽イオンを含む溶液中に、被表面処理物を陰極として浸漬し、金属を電気的に陰極表面に析出させる電気めっきシステムにも適用可能である。
【考案の効果】
【００１７】
本考案の電気めっき処理によれば、従来の金属製のめっきを析出させる治具が不要であるので、高価な治具を頻繁に交換する必要がない。また、治具への析出によってめっき材料、電気などが余分に消費されることもなく、かつ、めっき析出よって治具の特性が変化してめっき品質に影響が及ぼされる事態が防止され、プリンと基板等の被表面処理物の品質が安定する。さらに、めっき処理物保持具に対する被表面処理物の取付けが容易であるので、作業効率が向上する。
【考案を実施するための最良の形態】
【００１８】
本考案に係るめっき処理物保持具の実施の形態について図面を参照しながら説明する。
図１及び図２は、それぞれ本考案によるめっき処理物保持具の概要を示す図であり、図１は、めっき処理物保持具の全体斜視図、図２は、その複数が懸垂状態に保持されて搬送される状態を示す斜視図である。本実施形態において、めっき対象物である被表面処理物Ｗは、厚みが約４０μｍ程度のＦＰＣ（フレキシブルプリント基板）である。
【００１９】
本実施の形態におけるめっき処理システムは、処理液槽１０（図４）内に陽極であるアノード部５０が設置され、前期処理液槽１０の上方に設置された陰極バー（めっき処理部用レール５）に、横移動自在に支持されたプリント基板などの被表面処理物Ｗの上部を懸垂状態に挟持し、めっき処理液中において複数の前記被表面処理物Ｗを横向きで直列に搬送しながら、これらに電気めっきを施すものである。
【００２０】
被処理物保持具１は、陰極バーであるめっき処理部用レール５に垂下するためのハンガー部２と金属等の導電体である支持部３、及び、合成樹脂等の絶縁体からなる挟持用突起４を備えている。図２に示すめっき処理物保持具は、図１に示すそれとは、ハンガー部２の形態が異なっている。
めっき処理されるブリント基板などの被表面処理物Ｗは、その上部をハンガー部２により懸垂状態に保持され、被表面処理物Ｗの下部で給電しながらハンガー部２及びそれに連なる前記めっき処理用レール５側に電流が流れ、上記のように、めっき液槽１０内の処理液中で、図２に示すように、複数を横向きで並べた状態で搬送される。
【００２１】
図１に示す実施形態では、Ｔ字形状のハンガー部２の下方に、めっき処理される被表面処理物Ｗを着脱自在に保持する支持部３を備えている。この支持部３は全体が枠状であり、上端にはハンガー部２に水平状態に保持された上端吊板６を有し、この上端吊板６の左右端には、それぞれ第１側板３０ａ及び第２側板３０ｂが垂下するように連結され、これら第１側板３０ａ及び第２側板３０ｂの下端には、これらを互いに連結する連結板１３が設けられている。第２側板３０ｂは、回動軸１２を中心に矢印Ａ方向に回動可能である。
また、前記上端吊板６には、左右に被表面処理物Ｗを吊下げるクランプ８、８が設けられている。前記第１側板３０ａ、第２側板３０ｂは、被表面処理物Ｗを中心としてその左右端の両側において、それぞれ被表面処理物Ｗから所定距離Ｄだけ離れるよう設けられている。
【００２２】
前記第１側板３０ａ及び第２側板３０ｂは、被表面処理物Ｗの左右端縁に沿ってその表裏両面に沿って延出し、第１側板３０ａは、被表面処理物Ｗから距離Ｄだけ離れるように上端に屈曲部１１を有する。他方、第２側板３０ｂも同様に、被表面処理物Ｗから距離Ｄだけ離れるように、被処理物保持具１の下端において、第１側板３０ａに対して回動可能に連結して設けられる。そして前記第２側板３０ｂは、第１側板３０ａに接した状態でロック可能である。したがって、図１に示すように、被表面処理物Ｗを挟持しそれを垂直姿勢に保持することができる。
【００２３】
また、第１側板３０ａ及び第２側板３０ｂには、被表面処理物Ｗを挟持するための複数の挟持用突起４が、被表面処理物Ｗの表裏両側に位置するように所定間隔をおいて内方向に突出し、これらの挟持用突起４、４の中間に被表面処理物Ｗを保持している。この例では、挟持用突起４、４は、ＰＶＣからなり、被表面処理物Ｗに接触する先端を含む三角形をなしている。図３に挟持用突起の形態の他の例が示されている。ここでは、挟持用突起４０は、一定幅の細い帯状物であり、弾性を付与するために、帯状物の二本ずつを一組として形成されている。
これらの挟持用突起４は、被表面処理物Ｗの左右端から、それぞれ３０ｍｍ以内の位置Ｐで被表面処理物Ｗの表裏両面に接触する。より好ましくは、挟持用突起４が接触する位置Ｐは、被表面処理物Ｗの端縁から２０ｍｍ以内の範囲とする。被表面処理物Ｗにおいて、挟持用突起４が接触する位置Ｐより外側の部分はめっき皮膜が薄くなるので、通常、めっき皮膜が形成された製品としては使用されない。
【００２４】
また、第２側板３０ｂを、ばね等によって、第１側板３０ａの方向に常時付勢して第１側板３０ａに接するようにしてもよい。
第１側板３０ａ及び第２側板３０ｂの下端に設けられた遮蔽板７は、めっき処理液中を搬送される前記被表面処理物Ｗの下端部に電流が過度に集中しないように遮蔽するものである。この遮蔽板７は、図１に示すように、被表面処理物Ｗの下端に対応する位置に設けられる。この遮蔽板７には多数の小孔を形成してもよく、要するに被表面処理物Ｗの下端に電流が過度に集中しないようにして、被表面処理物Ｗの他の表面と均一な電流分布にすることが可能であれば、どのような形態であってもよい。
【００２５】
本実施の形態のめっき装置は、めっき液を満たしためっき槽（無電解銅めっき槽、硫酸銅めっき槽等）１０内に、被表面処理物Ｗを浸漬して、その表面（表裏両側）にめっき層を形成するものである。図４は、被表面処理物Ｗ（カソード側）とめっき槽１０内に設置したアノード部５０との位置関係を示す平面図である。
めっき装置においては、銅からなり被表面処理物Ｗを吊り下げるための断面角状のめっき処理部用レールが、所定の移動部材に固定され、めっき処理時にはこの移動部材が駆動部によって駆動されて、めっき処理部用レール５が長手方向（図４中、矢印Ｂ方向）に移動する。これにより、被表面処理物Ｗもアノード部５０に対して平行な方向（横方向）に移動する。
【００２６】
正電極となるアノード部５０は、被表面処理物Ｗの両面側に被表面処理物Ｗと所定間隔を介して平行に配置される。
以上のような構成のめっき装置において、アノード部５０と被処理物保持具１との間に直流電流を流すとともに、この被処理物保持具１をアノード部５０に対して平行な方向に移動させると、めっき液中の銅イオンが被表面処理物Ｗ上に吸着され、被表面処理物Ｗの表面にめっき皮膜が形成される。
【００２７】
ここで、図２に示すように、隣接する被表面処理物Ｗは、互いに左右外縁が接触せず、また、被表面処理物Ｗには導電体の治具が直接に接触することはないので、治具に電流が多く流れるようなこともない。したがって、挟持用突起４が接触している部分とその近傍を除いて、プリント基板等の被表面処理物Ｗの略全領域にわたって、容易に、めっき皮膜を均一にすることができる。また、被表面処理物Ｗの中心とその両側のアノード部５０との間の極間距離を一定にすれば、被表面処理物Ｗの表裏でのめっき皮膜厚に差が生じない。
なお、めっき処理槽１０内では、アノード部５０と被表面処理物Ｗとが平行状態を維持して移動するので、めっき皮膜の厚みにバラツキが生じることない。
【００２８】
さらに、支持部３における挟持用突起４の長さ、その設置数、配置間隔、大きさ等を調整することで、めっき液中の金属イオンの流れをコントロールすることができる。例えば、挟持用突起４の長さを長くすることは、支持部３を被表面処理物Ｗから遠ざけることになるが、この場合は、被表面処理物Ｗの左右縁部（支持体３に対向する部分）のめっき皮膜は厚くなる一方で、被表面処理物Ｗの中央に形成されるめっき皮膜は薄くなる傾向になる。反対に、挟持用突起４の長さを短くして、支持部３を被表面処理物Ｗに近づけると、被表面処理物Ｗの左右縁部への電流の流れが支持体３によって遮断され易くなって、被表面処理物Ｗの左右縁部のめっき皮膜が薄くなる一方で、被表面処理物Ｗの中央に形成されるめっき皮膜は厚くなる。したがって、めっき皮膜の厚みや厚みの分布を調整することが可能である。通常、挟持用突起４の長さは、１０ｍｍ〜３０ｍｍの範囲で調整するのが好ましい。
【００２９】
また、図５に示すように、支持部３における挟持用突起４の設置数や設置個所を変更してもよい。図５に示す例では、図１に示す被処理物保持具に比べ、挟持用突起４の設置数が少ない。挟持用突起４を少なくすれば、被表面処理物Ｗの左右縁部への電流の流れが遮断されにくくなり、被表面処理物Ｗの左右縁部のめっき皮膜が厚くなる一方で、被表面処理物Ｗの中央に形成されるめっき皮膜は薄くなる。このように、支持部３の形態を変化させて、被表面処理物Ｗの左右縁部への電流の流れを調整すれば、被表面処理物Ｗに形成されるめっき皮膜に影響し、結果として皮膜の厚みやその厚みの分布を変化させることができる。したがって、要求されるめっき品質に応じたものを容易に得ることが可能となる。
【００３０】
本考案のめっき処理物保持具１を使用するには、第２側板３０ｂを、回動軸１２を中心にして矢印Ａ方向（図１）に回動させ、支持部３の上端が開口するようにして、第１側板３０ａと第２側板３０ｂの間にシート状の被表面処理物Ｗをセットし、その上端をクランプ８，８で固定する。その後、再び第２側板３０ｂを元の位置に戻すように回動させ、図１に示すように、被表面処理物Ｗが挟持用突起４によって表裏両側から挟持され、垂直姿勢が保持されるようにする。このような作業を複数の処理物保持具１に対して行い、図２及び図３に示すように、めっき処理液中において複数の被表面処理物Ｗを横向きで直列に搬送可能な状態とする。所定のめっき処理が終了したら、上記の逆の手順で、被表面処理物Ｗをめっき処理物保持具１から取り外す。
【００３１】
以上のように、本考案のめっき処理物保持具によれば、その支持部の形態を変化させることで、被表面処理物Ｗに形成されるめっき皮膜の厚みや厚みの変化を調整することが容易に行える利点がある。なお、本考案は、上述の図示例にのみ限定されるものでなく、本考案の要旨を逸脱しない範囲内において種々変更を加え得ることは勿論である。
【図面の簡単な説明】
【００３２】
【図１】本考案に係るめっき処理物保持具の全体斜視図である。
【図２】図１に示すめっき処理物保持具の複数を横向きで並べて搬送される状態を示す斜視図である。
【図３】別の実施態様のめっき処理物保持具の複数を横向きで並べて搬送される状態を示す斜視図である。
【図４】被表面処理物と、めっき槽内に設置したアノード部との位置関係を示す平面図である。
【図５】他の実施態様に係るめっき処理物保持具の全体斜視図である。
【符号の説明】
【００３３】
１  めっき処理物保持具
２  ハンガー部
３  支持部
３ａ、３０ａ  第１側板
３ｂ、３０ｂ  第２側板
４  挟持用突起
５  めっき処理部用レール
６  上端吊板
７  遮蔽板
１０  めっき槽
１１  屈曲部
１２  回動軸
１３  連結板
５０  アノード部
Ｄ  支持部の被表面処理物Ｗからの距離
Ｗ  被表面処理物
【図１】
0003154267.tif 000003
【図２】
0003154267.tif 000004
【図３】
0003154267.tif 000005
【図４】
0003154267.tif 000006
【図５】
0003154267.tif 000007
【手続補正書】
【提出日】平成21年8月4日(2009.8.4)
【手続補正１】
【補正対象書類名】実用新案登録請求の範囲
【補正対象項目名】全文
【補正方法】変更
【補正の内容】
【実用新案登録請求の範囲】
【請求項１】
陰極バーに沿って移動自在に吊下げ支持されるハンガー部と、このハンガー部の下方に設けられ、めっき処理される薄板状の被表面処理物を着脱自在に保持する支持部と、を備え、前記支持部は、前記被表面処理物の左右端縁に沿って表裏両側に延びて前記被表面処理物を垂直姿勢に支持するとともに絶縁体からなる複数の挟持用突起を有し、これらの挟持用突起は、被表面処理物の左右端から３０ｍｍ以内の位置で被表面処理物の表裏両面に接触し、被表面処理物を挟持することを特徴とするめっき処理物保持具。
【請求項２】
前記支持部は全体が枠状であって前記ハンガー部に保持された吊板を有し、この吊板には被表面処理物をその表裏両側からそれぞれ挟持する第１側板及び第２側板が接続され、これらの第１側板及び第２側板の間に被表面処理物を着脱自在に保持することを特徴とする請求項１に記載のめっき処理物保持具。
【請求項３】
前記支持部は、絶縁体からなる前記挟持用突起を介して、前記被表面処理物から少なくとも１０ｍｍ以上離れていることを特徴とする請求項１又は２に記載のめっき処理物保持具。
【請求項４】
前記被表面処理物の下端に近接する前記支持部の下方に、被表面処理物への電気の流れを抑制する遮蔽部を設けたことを特徴とする請求項１から３のいずれかに記載のめっき処理物保持具。
【請求項５】
前記挟持用突起は、薄板状の前記被表面処理物に対して狭い範囲で接触し、前記支持部と前記被表面処理物との間の所定距離を維持することを特徴とする請求項１から４のいずれかに記載のめっき処理物保持具。
【請求項６】
前記支持部は、前記被表面処理物に直交する方向に沿って厚みがある板状物であり、かつ、被表面処理物に沿った方向の厚みが薄く形成され、被表面処理物に向けて流れる電流を遮断しないようにしたことを特徴とする請求項１から５のいずれかに記載のめっき処理物保持具。
【請求項７】
前記挟持用突起は、前記支持部から前記被表面処理物に向かって断面積が次第に小さくなるように延出し、その先端が前記被表面処理物と接していることを特徴とする請求項６に記載のめっき処理物保持具。